(57)【要約】【課題】回転電機の口径、軸長によらず、各分割鉄心を固定する作業が容易となり、また多機種の回転電機への対応が容易となる回転電機および回転電機の製造方法を提供することを目的とする。【解決手段】回転電機は、それぞれ、磁極ティース２が、円弧状のバックヨーク１の内周面から径方向内方に突出する複数の分割鉄心３と、複数の分割鉄心３のバックヨーク１側に配置される固定具４と、を備え、周方向に複数に分割されている固定具４と、円環状に配列された状態で固定具４と固定されている複数の分割鉄心３とを備える。【選択図】図１
2019103219.tif 000002
【特許請求の範囲】
【請求項１】
それぞれ、ティースが、円弧状のバックヨークの内周面から径方向内方に突出する複数の分割鉄心と、
前記複数の分割鉄心の前記バックヨーク側に配置される固定具と、
を備え、
前記固定具は、周方向に複数に分割され、
前記複数の分割鉄心は、円環状に配列された状態で前記固定具と固定されている
回転電機。
【請求項２】
前記複数の分割鉄心のそれぞれは、ボルト挿入用の貫通孔が前記バックヨークに設けられている
請求項１に記載の回転電機。
【請求項３】
前記分割鉄心と前記固定具とは、溶接部により溶接されて固定されている請求項１又は２に記載の回転電機。
【請求項４】
前記複数の分割鉄心のそれぞれは、前記バックヨークに、接着剤を注入するための溝部が設けられている請求項１から３のいずれか１項に記載の回転電機。
【請求項５】
前記複数の分割鉄心のそれぞれは、前記溝部と前記固定具により形成される隙間の位置に、前記固定具の塑性変形によるカシメ部を有する
請求項４に記載の回転電機。
【請求項６】
前記固定具の端部は、分割鉄心と当接している
請求項１から請求項５のいずれか１項に記載の回転電機。
【請求項７】
周方向において隣接する前記固定具の端部同士は、同一の分割鉄心に当接している請求項６に記載の回転電機。
【請求項８】
前記固定具は、軸方向において複数段に分割されており、
前記軸方向で隣接する一方の固定具と他方の固定具において、前記一方の固定具の前記端部同士の位置が、前記他方の固定具の中央部と同じ周方向位置に配置される
請求項７に記載の回転電機。
【請求項９】
請求項１から８のいずれか１項に記載の回転電機の製造方法であって、
内周側円筒と、前記内周側円筒と同軸の外周側円筒と、前記内周側円筒と前記外周側円筒の底部同士が接続されることで前記内周側円筒と前記外周側円筒との間に形成される溝部とを備えた真円度治具に対して、それぞれのティースの内周面が前記内周側円筒の表面と当接するように、円環状に配置された前記複数の分割鉄心を載置する第１工程と、
前記真円度治具に載置されることで前記円環状に配置された前記複数の分割鉄心の外周面に、周方向に分割された前記固定具を配置する第２工程と、
前記固定具の外側に円環状の締め付け治具を配置し、前記締め付け治具を締め上げることで、前記複数の分割鉄心および前記固定具を、径方向外側から内側に向けて締め付け固定する第３工程と、
前記第３工程により締め付け固定された状態で、前記複数の分割治具と前記固定具とを固定する第４工程と
を有する回転電機の製造方法。
【発明の詳細な説明】
【技術分野】
【０００１】
本発明は、分割鉄心の固定作業の容易化を図る回転電機および回転電機の製造方法に関する。
【背景技術】
【０００２】
回転電機は、鉄損を低減する目的で、板状のコア片が積層される鉄心が使用されている。例えば、特許文献１の回転電機では、鉄心を各磁極ティースに分割して使用している。  このような分割された鉄心の使用は、コア片の材料である鋼板の材料歩留まりを向上させることを目的としている。
【０００３】
また、回転電機の効率を向上させることを目的として、鉄心の各磁極ティースに巻き回すコイルのターン数を増やすことが行われる。
【０００４】
このような分割鉄心は、円環状に配列させて固定する際に、鉄心の真円度の低下により、回転電機の効率が低下するおそれがある。このため、鉄心の真円度の向上を図る必要がある。
【先行技術文献】
【特許文献】
【０００５】
【特許文献１】特開２０１４−０７５９０７号公報
【発明の概要】
【発明が解決しようとする課題】
【０００６】
しかしながら、特許文献１の回転電機は、コアピースとコアピース固定具を、圧入によってフレームに固定している。このため、回転電機の口径、軸長によって、圧入の作業が困難であるという問題があった。
【０００７】
また、回転電機の口径、軸長は、多種にわたっている。このため、１つのコアピース固定具を、多機種の回転電機へ適用することが困難であるという問題があった。
【０００８】
本発明は、上記のような問題を解決するためになされるもので、回転電機の口径、軸長によらず、各分割鉄心を固定する作業が容易となり、製造段階での真円度を向上させることのできる回転電機および回転電機の製造方法を提供することを目的とする。
【課題を解決するための手段】
【０００９】
上記の課題を解決するために、本発明に係る回転電機は、それぞれ、磁極ティースが、円弧状のバックヨークの内周面から径方向内方に突出する複数の分割鉄心と、前記複数の分割鉄心のバックヨーク側に配置される固定具と、を備え、周方向に複数に分割されている固定具と、円環状に配列された状態で固定具と固定されている複数の分割鉄心とを備える。
【００１０】
また、本発明に係る回転電機の製造方法は、内周側円筒と、内周側円筒と同軸の外周側円筒と、内周側円筒と外周側円筒の底部同士が接続されることで内周側円筒と外周側円筒との間に形成される溝部とを備えた真円度治具に対して、それぞれのティースの内周面が内周側円筒の表面と当接するように、円環状に配置された複数の分割鉄心を載置する第１工程と、真円度治具に載置されることで円環状に配置された複数の分割鉄心の外周面に、周方向に分割された固定具を配置する第２工程と、固定具の外側に円環状の締め付け治具を配置し、締め付け治具を締め上げることで、複数の分割治具および固定具を、径方向外側から内側に向けて締め付け固定する第３工程と、第３工程により締め付け固定された状態で、複数の分割治具と前記固定具とを固定する第４工程とを有する。
【発明の効果】
【００１１】
本発明に係る回転電機および回転電機の製造方法によれば、回転電機の口径、軸長によらず、各分割鉄心を固定する作業が容易となる。この結果、製造段階での真円度を向上させることのできる回転電機および回転電機の製造方法を提供することができる。
【図面の簡単な説明】
【００１２】
【図１】本発明の実施の形態１に係る回転電機を示す斜視図である。
【図２】本発明の実施の形態１に係る回転電機の製造方法を示す斜視図である。
【図３】図２における縦断面図である。
【図４】分割鉄心と分割鉄心固定具の当接の関係を示す説明図である。
【図５】同一の端部分割鉄心が設けられた回転電機を示す説明図である。
【図６】本発明の実施の形態１に係る分割鉄心の固定方法を示す斜視図である。
【図７】本発明の実施の形態２に係る分割鉄心の固定方法を示す斜視図である。
【図８】本発明の実施の形態３に係る分割鉄心の固定方法を示す斜視図である。
【発明を実施するための形態】
【００１３】
以下、本発明の回転電機及び回転電機の製造方法の実施の形態について、添付図面に基づいて詳細に説明する。
【００１４】
実施の形態１．
図１は、本発明の実施の形態１に係る回転電機を示す斜視図を示す。回転電機１００は、磁極ティース２と、複数の分割鉄心３と、分割鉄心固定具４とを備える。磁極ティース２は、分割鉄心３のバックヨーク１側から径方向に突出するように設けられている。分割鉄心３は、磁極ティース２ごとに円環状に配列されて固定されている。それぞれの磁極ティース２には、磁束を発生させるためのコイルが巻き回されている。分割鉄心３のバックヨーク１側には、分割鉄心固定具４が配置されている。
【００１５】
分割鉄心固定具４は、周方向に複数に分割されている。分割鉄心３は、円環状に配列された状態で、分割鉄心固定具４と固定されている。分割鉄心３と分割鉄心固定具４は、溶接部５において溶接により固定されている。ここで、分割鉄心固定具４は、固定具を構成する。
【００１６】
図１に例示した分割鉄心固定具４は、軸方向に２つに分割されている。ただし、この分割鉄心固定具４は、必ずしも軸方向に分割されていなくてもよい。図１において、軸方向に２つに分割された分割鉄心固定具４のそれぞれは、上下２箇所で溶接されている。このため、１つの分割鉄心３は、分割鉄心固定具４に対して４箇所の溶接部５で溶接されている。ただし、１つの分割鉄心３は、少なくとも１箇所で分割鉄心固定具４と溶接されていればよい。
【００１７】
分割鉄心３の作用について、説明する。
分割鉄心３は、鉄損を低減するために、板状のコア片を軸方向に積層した積層鉄心で形成されており、磁極ティース２ごとに分割して設けられている。本実施の形態１では、分割鉄心３を構成するコア片を、磁気ティースごとに分割して、コア片の材料である鋼板から打ち抜くことにより形成している。この結果、全ての磁極ティース２を一体で打ち抜くよりも、鋼板の材料歩留まりを向上させることができる。
【００１８】
また、従来のように、全ての磁極ティース２を一体で打ち抜く場合、各磁極ティース同士の間に、コイルを巻き回すノズルが通るスペースを確保する必要がある。このため、従来技術では、巻き回すコイルのターン数に限界があるという問題がある。
【００１９】
一方、本実施の形態１では、鉄心３が各磁極ティース２に分割されているので、コイルを巻き回すノズルが通るスペースを確保する必要がない。このため、本実施の形態１に係る回転電機は、巻き回すコイルのターン数を増やし、回転電機の効率を向上させることができる。
【００２０】
しかしながら、本発明のように分割鉄心３を用いる場合には、回転電機を構成するために、磁極ティースごとに分割された鉄心を、円環状に配列させて固定する必要がある。ここで、分割鉄心を固定する際に、鉄心の真円度が低下すると、回転電機の効率が低下する。従って、真円度を確保した状態で分割鉄心を固定する必要がある。そこで、図２〜図６を用いて、真円度を確保した状態で分割鉄心を固定するための、本実施の形態１における回転電機の製造方法について、次に説明する。
【００２１】
図２は、分割鉄心及び分割鉄心固定具を固定するための回転電機の製造方法を示す斜視図である。図３は、図２における縦断面図を示している。図４は、分割鉄心と分割鉄心固定具の当接の関係を示す説明図である。図５は、同一の端部分割鉄心が設けられた回転電機の説明図を示す。図６は、本発明の実施の形態１における回転電機の分割鉄心の固定方法を示す斜視図である。
【００２２】
まず始めに、分割鉄心３及び分割鉄心固定具４を固定して締め付けする方法について、図２、図３を用いて説明する。図２に示すように、回転電機１００の分割鉄心３及び分割鉄心固定具４の外側には、円環状の締め付け治具６が配置されている。締め付け治具６は、分割鉄心３および分割鉄心固定具４のバックヨーク１側に、配置されている。
【００２３】
締め付け治具６は、分割鉄心３及び分割鉄心固定具４を外側から、締め付け固定できる構成であればよい。具体的には、締め付け治具６は、ベルト、ホースバンドでよい。
【００２４】
図２、図３に示すように、回転電機１００は、真円度治具７に固定されるように配置される。真円度治具７には、複数の分割鉄心３を組み立てることで構成される回転電機１００を載置できるように、内周側円筒７ａと、円周状の溝部７ｂと、外周側円筒７ｃとが設けられている。内周側円筒７ａと外周側円筒７ｃは、同軸となるように形成されている。内周側円筒７ａと外周側円筒７ｂの底部同士が接続されることで、内周側円筒７ａと外周側円筒７ｂとの間に円周状の溝部７ｂが形成されている。
【００２５】
真円度治具７に回転電機１００を載置させた場合、内周側円筒７ａは、その外周面が磁極ティース２と当接するような外径と高さで形成されている。
【００２６】
それぞれの磁極ティース２の内周面が内周側円筒７aの円筒の表面と当接するように、円環状に配置された複数の分割鉄心３を載置する。複数の分割鉄心３からなる回転電機１００を真円度治具７に載置する際には、それぞれの分割鉄心３の下方部が、内周側円筒７ａと外周側円筒７ｃとの間の溝部７ｂに嵌まるように位置合わせされる。真円度治具７に載置されることにより、円環状に配置された複数の分割鉄心３の外周面に、周方向に分割された分割鉄心固定具４が配置される。
【００２７】
次に、分割鉄心３および分割鉄心固定具４を、磁極ティース２側に配置した真円度治具７の内周側円筒７ａに押し当てる。次に、固定具の外側に円環状の締め付け治具６を配置し、締め付け治具６を締め上げることで、複数の分割鉄心３および固定具４を、径方向外側から内側に向けて締め付け固定する。締め付け固定された状態で、複数の分割鉄心３と分割鉄心固定具４とを固定する。このような締め付け治具６及び真円度治具７の使用により、分割鉄心３の真円度を確保できる。
【００２８】
次に、分割鉄心３、分割鉄心固定具４、締め付け治具６のそれぞれの位置関係について、図４、５を用いて説明する。
【００２９】
分割鉄心固定具４は、分割鉄心３の周方向に分割して設けられている。ここで、分割鉄心固定具４の両端部を端部１１、中央部１２と称することとする。また、分割鉄心固定具４の端部１１を固定する分割鉄心３を、端部分割鉄心１３と称することとする。さらに、分割鉄心固定具４において、締め付け治具６と当接しない部分を隙間部１４と称することとする。
【００３０】
分割鉄心固定具４と分割鉄心３とがすべて当接するように、分割鉄心固定具４を製造することは、困難である。ここで、分割鉄心３に対して、分割鉄心固定具４の中央部１２が当接して、端部１１が当接しない状態で、締め付け治具６により複数の分割鉄心３を締め付ける場合を考える。
【００３１】
この場合には、分割鉄心固定具４は、端部１１の狭い範囲で締め付け治具６に当接することとなる。この結果、締め付け治具６にかかる力が分散しないため、分割鉄心３全体を均一な力で締め付けることができない。
【００３２】
一方、分割鉄心３に対して、分割鉄心固定具４の中央部１２が当接せず、端部１１が当接する状態で、締め付け治具６により複数の分割鉄心３を締め付ける場合を考える。
【００３３】
この場合には、分割鉄心固定具４は、中央部１２の広い範囲で締め付け治具６に当接することとなる。この結果、締め付け治具６にかかる力が分散するため、分割鉄心３全体を均一な力で締め付けることができる。
【００３４】
従って、分割鉄心固定具４は、分割鉄心３のバックヨーク１側に配置した場合に、端部１１が分割鉄心３と当接するような径で製造されることが好ましい。これにより、締め付け治具６にかかる力が分散するため、分割鉄心３全体を均一な力で締め付けることができる。
【００３５】
次に、端部分割鉄心１３の作用について、説明する。図５に示す回転電機１００において、隣接する分割鉄心固定具４は、それぞれの端部１１が、同一の端部分割鉄心１３に固定されるように配置されている。このように、２つの分割鉄心固定具４の端部１１を、同一の端部分割鉄心１３に固定させることで、分割鉄心３の強度の低下を抑制することができる。
【００３６】
次に、分割鉄心固定具４と締め付け治具６の隙間部１４の作用について、説明する。隣接する分割鉄心固定具４の端部１１間の位置では、分割鉄心固定具４と締め付け治具６が当接していない。従って、この位置では、分割鉄心３にバックヨーク１側からかかる力が小さくなる。このため、分割鉄心固定具４の端部１１位置では、分割鉄心３の径が大きくなる傾向がある。
【００３７】
また、図５に示すように、締め付け治具６がホースバンドである場合には、ホースバンドを締め付ける位置の付近で、ホースバンド同士の一部が重なる。このため、ホースバンドと分割鉄心固定具４とが当接しない隙間部１４が存在することとなる。この結果、隙間部１４の存在によって、分割鉄心３にかかる力が小さくなることで、分割鉄心３の径がばらつく傾向がある。
【００３８】
以上により、周方向における隙間部１４の位置では、分割鉄心３の真円度がより悪化する。従って、隣接する分割鉄心固定具４の端部１１間の位置と、隙間部１４の位置とを遠ざけることにより、分割鉄心３の真円度が、より悪化することを抑制できる。
【００３９】
次に、分割鉄心固定具４の軸方向における分割について、説明する。図１〜３に示した例では、分割鉄心固定具４は、分割鉄心３の軸方向に２段に分割して設けられている。
【００４０】
上述したように、それぞれの分割鉄心固定具４の端部１１の位置においては、分割鉄心３にかかる力が小さくなり、鉄心の径がばらつく傾向がある。従って、それぞれの段における分割鉄心固定具４の端部１１の位置が、上下方向で重ならず、円周方向で互いに遠ざけることにより、分割鉄心３の真円度の悪化を抑制することができる。
【００４１】
具体的には、図２に示すように、例えば、分割鉄心固定具４の周方向において、各段の分割鉄心固定具４の分割数が３であって、分割鉄心３の数が１８とする。この場合、偶数段目、例えば上から２段目の分割鉄心固定具４のそれぞれの端部１１は、周方向で、６、１２、１８番目の端部分割鉄心１３に固定される。
【００４２】
一方、奇数段目、例えば上から１段目の分割鉄心固定具４の端部１１は、周方向で、３、９、１５番目の端部分割鉄心１３に固定される。
【００４３】
このようにして各段の分割鉄心固定具４の固定する端部分割鉄心１３を規定することで、分割鉄心３の真円度が悪化する部分を周方向で分散することができ、真円度の悪化を抑制することができる。
【００４４】
次に、複数の分割鉄心３の固定方法について、説明する。図６は、本発明の実施の形態１における回転電機の分割鉄心の固定方法を示す斜視図である。分割鉄心３のバックヨーク１には、ボルト穴１６が設けられている。ボルト穴１６には、ボルト１５が挿入される。ボルト１５は、分割鉄心３を図示しないフレーム３に固定するための固定手段である。ここで、ボルト穴１６は貫通孔を構成する。ボルト１５は、固定手段を構成する。
【００４５】
本実施の形態１では、溶接による分割鉄心の固定方法について説明する。従来、分割鉄心３は、フレームに圧入または焼きばめをすることによって、フレームに固定されていた。これに対して、本実施の形態１の回転電機は、分割鉄心固定具４によって固定されている複数の分割鉄心３を、フレームに固定する必要がある。
【００４６】
図６に示すように、回転電機は、分割鉄心３のバックヨーク１に設けられたボルト穴１６にボルト１５を通すことによって、積層方向においてフレームと固定されている。
【００４７】
しかしながら、分割鉄心３は、コア片が積層されている。従って、ボルト１５を用いてフレームに固定する場合、分割鉄心３には、数μｍから数十μｍの積層隙間が存在する。このため、ボルト１５の締結力によって、分割鉄心３が積層方向に収縮するとともに、時間経過に伴って、さらに収縮する。
【００４８】
このような分割鉄心３の積層方向への収縮によって、ボルト１５が緩むことが考えられる。このような緩みが発生すると、分割鉄心３がフレームに固定されなくなり、回転電機が振動に対して弱くなる。従って、回転電機の信頼性を高めるために、分割鉄心３のボルト穴１６の周囲の強度を確保する必要がある。
【００４９】
そこで、本実施の形態１の回転電機は、分割鉄心３に設けられたボルト穴１６のうち、フレームと分割鉄心３とを固定するボルト１５が通るボルト穴１６におけるバックヨーク１側で、分割鉄心３と分割鉄心固定具４とを溶接している。
【００５０】
なお、ボルト穴１６のバックヨーク１側において、積層方向について、すべて溶接する縦溶接部を設けてもよい。縦溶接部を設けることにより、ボルト穴１６の周囲の強度を確保できる。
【００５１】
しかしながら、分割鉄心３の積層方向を溶接するには、締め付け治具６を外す必要がある。ただし、本実施の形態の回転電機によれば、締め付け治具６を外しても、真円度治具７の内周側円筒７ａに押し当てた状態で、分割鉄心３と分割鉄心固定具４を固定することができる。このため、締め付け治具６を外した場合であっても、真円度を確保することができる。
【００５２】
従って、分割鉄心３と分割鉄心固定具４を固定した後に、締め付け治具６を外して、ボルト穴１６のバックヨーク１側を積層方向について、すべて溶接することができる。これにより、ボルト穴１６のバックヨーク１側において、分割鉄心３の強度を確保できる。この結果、ボルト１５が緩んで分割鉄心３がフレームに固定されなくなることを抑制できる。
【００５３】
実施の形態１による回転電機は、バックヨークから径方向に磁極ティースが突出した複数の分割鉄心と、分割鉄心のバックヨーク側に配置される固定具とを備えている。固定具は、周方向に複数に分割され、分割鉄心は、円環状に配列された状態で、固定具に固定されている。
これにより、回転電機の口径、軸長によらず、各分割鉄心を固定する作業が容易となり、また、多機種の回転電機への対応が容易となる。
【００５４】
分割鉄心は、固定手段でフレームに固定するための貫通孔を備えている。これにより、分割鉄心のバックヨークに設けられたボルト穴にボルトを通すことによって、分割鉄心をフレームに固定できる。
【００５５】
実施の形態１による回転電機は、分割鉄心と固定具とを固定するための溶接部を備える。これにより、ボルト穴のバックヨーク側において、分割鉄心の強度を確保することができる。この結果、ボルトが緩んで分割鉄心がフレームに固定されなくなることを抑制できる。
【００５６】
固定具の端部は、分割鉄心と当接するように配置されている。これにより、締め付け治具にかかる力が分散するため、分割鉄心全体を均一な力で締め付けることができる。
【００５７】
周方向に隣接する固定具の端部同士は、同一の分割鉄心に当接している。これにより、固定具の端部の位置における強度が同一の分割鉄心により確保されるため、鉄心の強度の低下を抑制することができる。
【００５８】
固定具は、軸方向において複数段に分割されており、軸方向で隣接する各段における固定具の端部位置は、重ならないように遠ざけて配置される。これにより、分割鉄心の径がばらつく位置を、それぞれ遠ざけて分散させることができるため、分割鉄心の真円度の悪化を抑制することができる。
【００５９】
実施の形態１による回転電機の製造方法は、回転電機を真円度治具に載置し、分割鉄心および固定具を磁極ティース側に配置した真円度治具の内周側円筒に押し当てて、円環状の締め付け治具によって、分割鉄心と固定具を、バックヨーク側から固定している。これにより、分割鉄心と固定具とを固定するときに、分割鉄心の真円度を確保することができる。
【００６０】
また、締め付け治具６は、固定具と当接しない隙間部を有し、固定具の周方向における分割の数と、隙間部の数とが同数である場合を考える。この場合には、各隙間部の周方向の位置は、各固定具の周方向における中央部と同じ位置となるように配置される。これにより、分割鉄心の径がばらつく位置を、それぞれ遠ざけることができるため、分割鉄心の真円度の悪化を抑制することができる。
【００６１】
また、実施の形態１では、円環状に配列された状態の分割鉄心を固定具で固定する回転電機の製造方法において、分割鉄心を、分割鉄心のバックヨーク側から固定具で固定する工程を備えている。これにより、回転電機の口径、軸長によらず、各分割鉄心を固定する作業が容易となり、また、多機種の回転電機への対応が容易となる。
【００６２】
実施の形態１による回転電機は、分割鉄心と固定具とを溶接することによって固定している。これにより、ボルト穴のバックヨーク側において分割鉄心の強度を確保することができる。この結果、積層されたコア片の影響により、ボルトが緩んで分割鉄心がフレームに固定されなくなることを抑制できる。
【００６３】
実施の形態２．
図７は、本発明の実施の形態２における回転電機の分割鉄心の固定方法を示す斜視図である。分割鉄心３のバックヨーク１側には、凹形状の溝部２１が設けられている。分割鉄心３と分割鉄心固定具４が当接した際に、溝部２１の部分には、隙間が形成される。そこで、この溝部２１に接着剤を流し込むことで、分割鉄心３と分割鉄心固定具４を接着させることができる。なお、溝部２１は、接着剤を流し込むことができる程度の大きさで良い。
【００６４】
本実施の形態２における、接着剤の使用による分割鉄心の固定方法を、図７を用いて説明する。本実施の形態２では、分割鉄心３の溝部２１と分割鉄心固定具４により形成される隙間に対して、接着剤２２を流し込む。この接着剤２２が乾燥して凝固することによって、分割鉄心３において積層されているコア片と、分割鉄心固定具４とを、固定することができる。
【００６５】
この結果、ボルト穴のバックヨーク側において分割鉄心の強度を確保することができる。従って、積層されたコア片の影響により、ボルトが緩んで、分割鉄心がフレームに固定されなくなることを抑制できる。
【００６６】
実施の形態３．
図８は、本発明の実施の形態３における回転電機の分割鉄心の固定方法を示す斜視図である。分割鉄心３のバックヨーク１側には、凹形状の溝部２１が設けられている。溝部２１は、分割鉄心３と当接する分割鉄心固定具４によって、隙間を形成する。分割鉄心固定具４には、その一部が塑性変形したカシメ部３１が設けられている。カシメ部３１は、軸方向において、隙間と同じ位置に設けられている。
【００６７】
図８に示すように、軸方向について２段に分割されたそれぞれの分割鉄心固定具４の上下２箇所について、カシメ部３１が設けられている。このため、分割鉄心３と分割鉄心固定具４は、１つの分割鉄心３につき、４箇所でカシメられ、４箇所のカシメ部３１を有することになる。そして、コア片を積層することで構成された分割鉄心３について、カシメ部３１が設けられた部分で、積層されたコア片をカシメにより固定することができる。
【００６８】
なお、図８に示した分割鉄心固定具４は、軸方向について２段に分割されているが、必ずしも分割されていなくてもよい。分割鉄心３と分割鉄心固定具４が固定される限り、１つの分割鉄心３につき少なくとも１箇所で分割鉄心固定具４とカシメられていればよい。
【００６９】
実施の形態３による回転電機は、分割鉄心のバックヨーク側に溝部を備え、軸方向において、溝部と固定具により形成される隙間と同じ位置に、カシメ部を有している。このように、溝部に合わせてカシメ部を有することによって、分割鉄心を積層しているコア片と分割鉄心固定具とをそれぞれ固定することができる。この結果、ボルト穴のバックヨーク側において分割鉄心の強度を確保することができる。
【００７０】
なお、本発明は、その発明の範囲内において、例えば分割鉄心と分割鉄心固定具の固定、分割鉄心固定具の端部の強度の確保、ボルト穴のバックヨーク側の強度の確保について、本実施の形態を適宜、変形、省略することが可能である。
【符号の説明】
【００７１】
１  バックヨーク、２  磁極ティース、  ３  分割鉄心、４  分割鉄心固定具（固定具）、５  溶接部、６  締め付け治具、７  真円度治具、７ａ  真円度治具の内周側円筒、７ｂ  真円度治具の溝部、７ｃ  真円度治具の外周側円筒、１１  分割鉄心固定具の端部（固定具の端部）、１２  分割鉄心固定具の中央部（固定具の中央部）、１３  端部分割鉄心、１４  隙間部、１５  ボルト（固定手段）、１６  ボルト穴（貫通孔）、２１  溝部、２２  接着剤、３１  カシメ部。
【図１】
2019103219.tif 000003
【図２】
2019103219.tif 000004
【図３】
2019103219.tif 000005
【図４】
2019103219.tif 000006
【図５】
2019103219.tif 000007
【図６】
2019103219.tif 000008
【図７】
2019103219.tif 000009
【図８】
2019103219.tif 000010